(57)【要約】【課題】アダプタを使用せずに大小２種類のディスクを扱うディスク装置を水平／縦置き両用とするには、大型化、装着操作の煩雑化、保持部材格納忘れ等の誤操作によるディスク損傷の危険性が排除できないという問題がある。【解決手段】トレイに小径ディスクを挟着保持可能な２つのディスク保持部材であるレバーを連動出没可能に構成し、通常の没状態から、一箇所を押圧することでレバーを出状態にして小径ディスクを装着可能となるように構成するとともに、レバーの状態を検出してディスク回転時にディスクにレバーが接触しないようにレバー位置を検出制御する構成とする。【選択図】図１
2009170041.tif 000002
【特許請求の範囲】
【請求項１】
情報記録層を有するディスクを載置可能な載置面を有するトレイと、
該ディスクの該載置面と対向する面を支持可能なガイド面を持ち、前記トレイに対して可動で該載置面から出没可能に構成されたガイド部材と、
前記ガイド部材を該載置面と対向する方向に付勢する付勢手段とを備えることを特徴とするディスク保持手段。
【請求項２】
前記ガイド部材は少なくとも２つの部材が互いに係合して連動可能とする連動手段を有することを特徴とする、請求項１に記載のディスク保持手段。
【請求項３】
請求項１または請求項２に記載のディスク保持手段と、
前記トレイをガイドするシャーシと、
該ディスクを回転させるモータと、
該ディスクを装填可能な第１の位置と、前記モータに着脱可能な第２の位置の間で前記シャーシに案内されて移送する移送手段と、
該第２の位置付近で前記ガイド部材が該出没の没状態かどうかを判別する判別手段と、
該出状態と判別したときには前記ディスク保持手段を更に出方向に退避させ、該没状態と判別したときには前記ディスク保持手段の位置を保持させる制御手段と
を有することを特徴とするディスク装置。
【発明の詳細な説明】
【技術分野】
【０００１】
本発明は、映像用、音楽用、コンピュータ・データ用等の情報記録媒体であるディスクを用いるディスク装置に関し、特に大小２種類の直径のディスクを選択的に取り扱うことができ、水平及び縦方向で使用可能とするディスク保持手段及びそれを備えたディスク装置に関する。
【背景技術】
【０００２】
ＣＤ、ＤＶＤ、近年ではＢＤのように大容量光ディスクがその配布性、可搬性、低価格という特徴から、ハードディスクや半導体メモリに対する優位性を今後も生かして使用され続けると考えられる。また、これらのディスクは外径が１２ｃｍのものと８ｃｍの２種類が存在するが、普及しているディスク装置で再生が可能で小型であるという優位性から小型の直径８ｃｍディスクも今後とも使用され続けると考えられる。従来の短編ＣＤやムービー記録以外の新たな用途として近年、コストを抑え小型であるメリットを生かして食玩などのようなおまけとしても８ｃｍディスクが採用されることが増えてきている。
【０００３】
一方、これら光ディスクを扱う装置はパソコンやレコーダに組み込まれてきたが、従来デスクの省スペース化のためにパソコンを縦置きにしたり、近年では普及が著しい薄型テレビにマッチする幅の薄いレコーダ横に縦置きにしたいという要望が新たな需要として注目されている。過去、１２ｃｍと８ｃｍの両方のディスクを縦置きに対応させる方法としては、１２ｃｍディスク保持用の爪だけではなく、８ｃｍディスク保持用の爪を構成して８ｃｍディスクも垂直にトレイ上で保持する方法（例えば、特許文献１）、８ｃｍ用爪を出没させる方法（例えば、特許文献２）などが知られている。
【特許文献１】特開平８−１２４２６４号公報
【特許文献２】特開平１０−１９９０８８号公報
【発明の開示】
【発明が解決しようとする課題】
【０００４】
しかしながら、現状一般的に用いられるトレイ方式のディスク装置の組み込まれたパソコンやレコーダでは、アダプタを用いないと、そのままでは８ｃｍディスクを縦置きで扱うことができないものがほとんどで使用者にとって不便を強いたままとなっている。これは、トレイ方式のディスク装置で、アダプタを使用せずに８ｃｍディスクを縦置きに対応しようとすると、少なくとも８ｃｍディスク用の爪の厚み分トレイの厚みが増すことによるディスク装置の大型化をまねいてしまう。また、大型化を避けるために可動部品を使用者に操作させると、その煩雑性や可動部品の格納忘れによるディスク装填時損傷の危険性を排除できないという課題を有していたからである。
【０００５】
一方、スロットインタイプのディスク装置では、アダプタを用いずに８ｃｍディスクを縦置きでも使えるものがある。しかしながら構造上理由から、部品点数が増加して高価なるとともに、８ｃｍディスクが排出されたときの落下を防ぐために装置によるディスク把持量を一定量確保する必要があるため、使用者がディスクを掴める量が少なくなっており、使用者が８ｃｍディスクの記録面を傷つけないように取り出すのは容易ではないという課題を有している。
【０００６】
本発明はこれら従来の問題を解決するものであり、アダプタを使用せずに１２ｃｍの大径ディスクと８ｃｍの小径ディスクを選択的に水平でも縦置きでも取り扱え、トレイの厚みを増さずに薄型化し、縦置きに対応するための部品の操作を１操作で行なえるよう容易化するとともに、ユーザー誤操作によるディスク損傷の可能性を排除するディスク保持装置及びそれを備えたディスク装置を提供することを目的とする。
【課題を解決するための手段】
【０００７】
このため本願第１の発明に係わるディスク保持手段は、情報記録層を有するディスクを載置可能な載置面を有するトレイと、ディスクの載置面と対向する面を支持可能なガイド面を持ち、トレイに対して可動で載置面から出没可能に構成されたガイド部材と、ガイド部材を載置面と対向する方向に付勢する付勢手段とを備えることを特徴としたものである。
【０００８】
また、本願第２の発明に係わるディスク保持手段は、ガイド部材が少なくとも２つの部材が互いに係合して連動可能とする連動手段を有することを特徴としたものである。
【０００９】
また、本願第３の発明に係わるディスク装置は、ディスク保持手段と、トレイをガイドするシャーシと、ディスクを装填可能な第１の位置と、モータに着脱可能な第２の位置の間でシャーシに案内されて移送する移送手段と、第２の位置付近でガイド部材が出没の没状態かどうかを判別する判別手段と、出状態と判別したときにはディスク保持部材を更に出方向に退避させ、没状態と判別したときにはその状態を保持させる制御手段とを備えたものである。
【発明の効果】
【００１０】
本願発明に係るディスク保持装置及びそれを備えたディスク装置によれば、簡単な操作でディスクを縦方向に挟着保持できるようになるため、ディスク保持のための操作性が効果的に向上できる。また、ディスクの挟着保持を解除した場合は、付勢力によって保持部材が埋没するため、水平置き状態として大径ディスクを載置しようとしてもディスクが保持部材に衝突する可能性を排除できるためディスク傷付きへの危険性が効果的に抑制できる。
【００１１】
本願発明に係るディスク装置及びそれを備えたディスク装置によればディスク保持の爪は通常時格納されているのでトレイの厚みは増加せず薄型化できる。
【発明を実施するための最良の形態】
【００１２】
（実施の形態）
以下、添付図面を参照しながら、本発明の実施形態について説明する。図１は本発明の実施形態に係るディスク装置の要部を示す斜視図である。１はトレイでベース５に案内されてＹ１、Ｙ２方向に移送可能に構成されている。また、１２ｃｍディスクと８ｃｍディスクが載置可能とされている。２，３は保持レバーで回動可能にトレイ１に軸支されている。なお、図１ではトレイ１がイジェクト位置、すなわち使用者がディスクの装填や取出しが可能な位置となっている。
【００１３】
図２はトレイ１の要部詳細図で、１ａは載置面、１ｂは周縁壁面でそれぞれ１２ｃｍディスクを位置決め載置可能となるように構成されている。また、１ｃは載置面、１ｄは周縁壁面でそれぞれ８ｃｍディスクを位置決め載置可能となるように構成されている。１ｅは凹部で載置面１ａより下方構成され一部は貫通穴となっている。１ｆ、１ｇは軸穴部で図示された対向面にも構成されており、図３の部品詳細図で示す保持レバー２の軸２ａ、保持レバー３の軸３ａがそれぞれ回動可能に嵌合するように構成されている。保持レバー２、３にはそれぞれ８ｃｍディスクの円筒面をガイド可能に構成された保持壁２ｂ、３ｂが構成され、これら保持壁２ｂ、３ｂからは下面がディスク押圧面となる凸部２ｃ、３ｃがそれぞれ構成されている。保持レバー２には連動軸２ｄが構成され保持レバー３に構成されたカム溝部３ｄに挿通され連動可能となっている。また、保持レバー２，３にはそれぞれ鏡面図示した爪部２ｅ、３ｅが構成されておりバネ５の両端部が係止可能となっており保持レバー２，３をＲ１方向に付勢するように構成されている。２ｆは検出部であり、図１に示すベース５に構成された凸部５ａと係合可能に構成されている。３ｆも検出部であるが、図１に示すようにトレイ１の周縁壁面の中心に対してほぼ点対称側にも構成された場合にベース５に構成された凸部５ｂと係合可能に構成されている。このように保持レバー２，３及びバネ４はほぼ点対称に２組構成されており、以後説明する動作は同様であるため片側１組の説明のみ行なうこととする。
【００１４】
図４は図１に示すトレイ１がディスクを装填可能な状態に位置するときのトレイ１の要部詳細図である。先に説明したように保持レバー２，３はバネ４によりＲ１方向に付勢されているため保持レバー２，３は回転規制部（図示せず）にあたる状態である食状態となっている。なお、このとき保持レバー２，３は載置面１ａより下側になるようにしているので、この状態で１２ｃｍディスクが保持レバー２，３に接触することなく載置することができる。また、凸部２ｃ、３ｃは載置面１ｃより下になるよう構成しており、図５に示すように８ｃｍディスク１０も同様に保持レバー２，３に接触することなく載置することができるため、トレイ１が水平状態のときには保持レバーを気にすることなく自然にディスクの載置が行なえるようになっている。
【００１５】
図６は図１のイジェクト状態でＸ２方向を下向きにしてトレイ１が縦置きに設置された状態で８ｃｍディスク１０を載置したときのトレイ１の要部詳細図である。８ｃｍディスク１０を載置するために、まず、押圧部を明示されたマーク１ｉに従って保持レバー２，３の腕部にあるそれぞれの押圧部２ｈ、３ｈをＺ２方向に押圧する。なお、図示しているようにトレイ１に一段下がった凹部１ｈが構成されているため押圧部２ｈ、３ｈはて押圧しやすく構成されている。また、押圧部２ｇ、３ｇは略連動する構成であるとともに近接しているので、指一本で自然と同時に押圧できるように構成されている。すると、保持レバー２，３はＲ１と逆方向に回転し凸部２ｃ，３ｃが浮きあり、８ｃｍディスク１０が潜りこめるようになるので、８ｃｍディスク１０をトレイ１の載置面１ｃと保持レバー２，３の凸部２ｃ，３ｃの間に自重で自然に保持壁２ｂ、３ｂにあたるまで潜り込ませる。その後押圧部２ｇ、３ｇの押圧をやめると保持レバー２，３はＲ１方向に付勢されているため、８ｃｍディスク１０は凸部２ｃ、３ｃによって載置部１ｃとの間で挟着され載置が完了する。保持レバー２，３の８ｃｍディスクを付勢する力は８ｃｍディスクの自重、傾き、振動によって保持レバー２，３が動いてディスクが外れない程度の力以上が必要であるが、８ｃｍディスクは１２ｃｍディスクに比べ軽いため１０グラム程度で十分である。
【００１６】
このようにとても簡単な１回の操作で８ｃｍディスク１０を載置できるが、たとえば人差し指を８ｃｍディスク１０の中央穴に通して仮保持したまま、同じ手の親指で凸部２ｇ、３ｇを押すことも可能である。すなわち片手でも載置できるとゆう優れた載置性を有していることがわかる。
【００１７】
次にディスクを回転させるときに保持レバー２，３がディスクに接触しないようにする動作について説明する。
【００１８】
図７は図６に示すように８ｃｍディスク１０を載置した状態から、トレイ１がＹ２方向に移動し、ベース５に構成されているモータ６に８ｃｍディスク１０が係合して載置面１ｃから浮上し、一体で回転可能になったロード状態を示している。なお、トレイ１がベース５に案内されて移動しモータ６が上昇して８ｃｍディスク１０と係合する手段の詳細については公知で一般的な方法と同じであるためここでの説明は省く。このロード状態で保持レバー２，３は図６の状態からさらにＲ１とは逆方向に回転することによって８ｃｍディスクとは接触しない状態に退避している。また、点対称に配置されたＸ１方向側の保持レバー２，３は図４に示す初期状態を維持しているため８ｃｍディスク１０とは接触しないためディスク回転の障害にはならないようになっている。
【００１９】
まず、図８を用いて、水平状態や垂直状態でも８ｃｍディスク１０が載置されていない、すなわち保持レバー２，３が図１に示す初期状態の場合に、ディスクがモータ６に係合した状態でもその状態を維持することの説明を行なう。
【００２０】
図８は図１のＹ１、Ｙ２方向にＸ１側の保持レバー２，３を切断した断面図であり、図８（ａ）はトレイ１の動作途中、図８（ｂ）はトレイ１が、モータ６がディスクと係合可能となるロード位置である動作端に至った状態を示している。図８（ａ）から図８（ｂ）に至るまで保持レバー２，３共にベース５の凸部５ｂに当接することがない位置関係にある。そのため、保持レバー２，３は回動することなく初期状態を維持するのである。
【００２１】
判りやすくするため同じ断面位置で、垂直状態で８ｃｍディスク１０が載置された状態、すなわち保持レバー２，３が少し回動して８ｃｍディスク１０を挟着した状態からロード状態に至った場合に８ｃｍディスク１０がモータ６に係合した状態では挟着状態から退避状態になる動作を説明する図が図９である。
【００２２】
図９（ａ）はトレイ１の動作途中、図９（ｂ）はトレイ１が、モータ６がディスクと係合可能となるロード状態の動作端に至った状態を示している。図９（ａ）に示すように保持レバー２の検出部２がＹ２方向に動作を続けるとベース５の凸部と当接する関係になっているため、トレイ１のＹ２方向の動作によって検出部２ｆは凸部５ｂの傾斜面に当接しながら動作することにより保持レバー２は回動して凸部２ｃがモータ６上の８ｃｍディスク１０から離れる状態になるように動作することとなる。また保持レバー３はカム溝部３ｄで保持レバー２の連動軸２ｄと連動可能に係合しているため保持レバー２の動作と連動して凸部３ｃはモータ６上の８ｃｍディスク１０から同様に離れる状態になるようになっている。
【００２３】
なお、カム溝３ｄの形状は保持レバー２，３が図８（ａ）や図９（ａ）の状態ではそれぞれが独立して動きやすくして確実に保持レバー２，３がそれぞれ載置面１ａから下に位置したり、８ｃｍディスク１０を挟着できるように連動軸２ｄの直径よりもカム溝幅を広くしてあり、図９（ｂ）の状態では精度よく連動して回動する角度が決まるように連動軸２ｄの直径より数ミクロン広くする程度にカム溝幅をなるべくせまく構成している。
【００２４】
ここまでＸ１方向側に構成された保持レバー２，３の動作を説明してきたが、Ｘ２側に構成された保持レバーであっても、保持レバー２の検出部２ｆとベース５の凸部５ｂとの係合が、保持レバー３の検出部３ｆとベース５の凸部５ａとの係合に置き換わるだけで同様に動作をすることができる。すなわち、それぞれが連動する軸とカム部以外はほぼ保持レバー２と３は対称の構成となっているためである。対称の構成とすることは必要条件ではないが、対称の構成として２種類の部品を２個使うほうが４種類の部品を使用するほうが必要になる金型が削減できる等の効果を得ることができるためである。
【００２５】
なお、図１０はＸ２側に構成された保持レバー２，３がロード位置で８ｃｍディスク１０から退避した状態をわかりやすくするための要部詳細図である。
【００２６】
以上、トレイ１がＹ２方向に移動する場合の動作を説明してきたが、この動作は可逆であるため、たとえば縦置きで８ｃｍディスク１０が載置されていた場合は、保持レバー２，３はバネ４によってＲ１方向に回動して再度８ｃｍディスク１０を付勢し、それ以外の場合は、保持レバー２，３はそのままの初期状態でトレイ１が排出端まで動作することとなる。
【００２７】
なお、本実施例では保持レバー２，３の組み合わせを２組設けたが、縦方向の向きが１方向と定まっているときには、対応する方向に設置したときに下側となる側に一組だけでもかまわない。
【００２８】
なお、本実施例では保持レバーを連動するように構成したが、ディスク保持装置としては連動しなくてもかまわない。
【００２９】
なお、本実施例では保持レバーを連動するように構成したが、それぞれに係合しロード状態で保持レバーをディスクから退避する退避手段を設けてもかまわない。
【００３０】
なお、本実施例では保持レバーのディスクからの退避をトレイの移動と連動するようにしたが、モータの昇降動作と連動するように構成してもかまわない。
【００３１】
なお、８ｃｍディスクを押圧する凸部２ｃ、３ｃのディスク当接面はディスクのへの損傷を最大限防ぐため柔らかい材料、例えば発砲ゴム等にする方がより望ましい。
【００３２】
なお、８ｃｍディスクを押圧する凸部２ｃ、３ｃのディスク当接面はディスクのへの損傷を最大限防ぐため８ｃｍディスクが傾いてもディスクのエッジだけに当接するようにテーパを設けるほうが望ましい。
【００３３】
なお、本実施例では縦置きを想定したためトレイの移動方向に対し保持レバーの回動軸を直行するように配置したが、トレイが上下移動する場合は保持レバーの回動方向をトレイの移動方向と平行に配置することにより同様な機能を付加することが可能である。
【００３４】
なお、本実施例では縦置きの場合の１２ｃｍディスクを装着するための機能を省いているが、たとえば公知であるトレイと一体となった１２ｃｍディスクを引掛ける庇を設ければ１２ｃｍディスクの縦置き対応も容易に実現できるのでこの機能も実装するほうが好ましい。
【産業上の利用可能性】
【００３５】
本発明にかかるディスク保持装置及びそれを備えたディスク装置は、水平状態と縦置き状態でディスクを載置することが求められる装置を大型化せず、誤操作によるディスク損傷の危険性を排除し、容易に扱えるような構成したものであるが、ディスクに限らず水平状態と縦置き状態で載置できることが求められる物体保持装置としての用途にも適用できる。
【図面の簡単な説明】
【００３６】
【図１】本発明のイジェクト時のディスク装置要部斜視図
【図２】本発明のトレイの要部詳細図
【図３】本発明の保持レバーの詳細図
【図４】本発明のディスク保持装置の要部詳細図
【図５】本発明の水平置きでの８ｃｍディスク載置時のディスク保持装置の要部詳細図
【図６】本発明の縦置きでの８ｃｍディスク載置時のディスク保持装置の要部詳細図
【図７】本発明のロード時のディスク装置斜視図
【図８】本発明の保持レバー動作を説明するための断面図
【図９】本発明の保持レバー動作を説明するための断面図
【図１０】本発明の保持レバー退避状態を説明するためのディスク装置の要部詳細図
【符号の説明】
【００３７】
１    トレイ
１ａ、１ｃ    載置面  
１ｂ、１ｄ    周縁壁面
１ｅ、１ｈ    凹部
１ｆ、１ｇ    軸穴部
１ｉ    マーク
２、３    保持レバー
２ａ、３    ａ軸
２ｂ、３ｂ    保持壁
２ｃ、３ｃ    凸部
２ｄ    連動軸
３ｄ    カム溝部
２ｅ、３ｅ    爪部
２ｆ、３ｆ    検出部
２ｇ、３ｇ    押圧部
４    バネ
５    ベース
５ａ、５ｂ    凸部
６    モータ
１０    ８ｃｍディスク
Ｘ１，Ｘ２，Ｙ１，Ｙ２，Ｚ１，Ｚ２    方向を示す符号
Ｒ１    回転方向を示す符号
【図１】
2009170041.tif 000003
【図２】
2009170041.tif 000004
【図３】
2009170041.tif 000005
【図４】
2009170041.tif 000006
【図５】
2009170041.tif 000007
【図６】
2009170041.tif 000008
【図７】
2009170041.tif 000009
【図８】
2009170041.tif 000010
【図９】
2009170041.tif 000011
【図１０】
2009170041.tif 000012